(57)【要約】【課題】  高年配になるとトイレが近くなる．脱ぎ捨てになっているスリッパの前後を直して使用することに手間がかかり、失敗することもある．体育館、公民館、ホテル、各家庭も含む、等々で、大勢の人が使用するトイレでは大半が脱ぎ捨てになっている．次回着用する人は少々迷惑である、着用中、常に脱げ落ちそうで気になり摺り足で歩行している、摺り足のため歩行中快適に足の運動は不可能である．上記課題を解決するスリッパを設ける。【解決手段】  請求項１、請求項２、請求項３に記載の偏移止め基体を有するスリッパを設ける。【選択図】図１
2009011807.tif 000002
【特許請求の範囲】
【請求項１】
前後をなくし、両端から着脱可能な偏移止め基体を有するスリッパを設けるべく、１をはじめとし適合する数の偏移止め基体を設け、個々を適合する形に成形し、個々を適合する位置に定着させ、適合する内装用物質、適合する外装用物質を選択して用い、適合する形態で内装、外装をする、偏移止め基体を有するスリッパであって、（ａ）〜（ｈ）で構成を有することを特徴とする、偏移止め基体を有するスリッパ
（ａ）硬質で弾力性を有する物質、軟質で弾力性を有する物質、硬質、軟質、等諸々の物質より選択して適合する物質を用い、足裏形に類似する偏移止め基体を設け、横左右の間、中芯部分を基点に三日月状に湾曲させた、図２に示す、偏移止めの基体を設けている
（ｂ）、（ａ）に示す、弾力性を有し復元力の強い物質を用い、偏移止め基体を設け短冊状に３分割し、適合する形に成形した偏移止め基体を、仮想した足裏形の上に、３ヶ所に載置している、中央に位置する偏移止め基体の両端を延長拡大し、上方に折曲して、足の甲に添う形に湾曲させ、両先端の間に空間を設けた、図３に示す、偏移止め基体を設けている
（ｃ）、（ｄ）に示す、偏移止め基体の内側になる部分を内装すべく、諸々の物質より選択して適合する物質を用い、足裏形に類似する内装用物質を設け、中央部分を基点に足の甲に添う巾を選択して、延長拡大し上方に折曲し足の甲に添わせて内側に湾曲させて、両先端の間に空間を設けた、図４に示す、内装用物質を設けている
（ｄ）、（ｂ）に示す、偏移止め基体の内側になる部分に、図４に示す、内装用物質を接合し、図５に示す、トンネル状に内装したことを示している
（ｅ）、（ｄ）に示す、トンネル状に内装した偏移止め基体の外面に、伸び縮みするゴムバンド状物質をベルト状に、図６に示す、接合したことを示している
（ｆ）、（ｅ）に示す、伸び縮みするゴムバンド状物質をベルト状に接合した偏移止め基体の、底面を含む外面に、伸び縮みするゴムバンド状物質を巻着したことを示している、着脱口を拡大したことを示している、図７に示す
（ｇ）、（ｆ）に示す、偏移止め基体の底面に、底になる物質を選択して用い、適合する形態で底を設けたことを示している、図８に示す
（ｈ）、偏移止め基体を有するスリッパを着用時、足親指、足土踏まず、が、スリッパの上面に接触する部分に丘状の傾斜を設けたことを示している、図９に示す
上記の形態で、偏移止め基体を被包し、前後をなくして両端双方から着脱可能となる、請求項１に記載の、偏移止め基体を有するスリッパ
【請求項２】
前後をなくし両端双方から着脱可能な、偏移止め基体を有し足指先立ちで歩行するスリッパを設け、完成したスリッパに、ひも状の伸び縮みするゴムバンド状物質を着脱自由に接合し、竹馬にのった感覚で歩行可能とすべく、１をはじめとし、適合する数の偏移止め基体を設け、個々を適合する形に成形し、個々を適合する位置に定着させ、適合する内装用物質、外装用物質を選択して用い、適合する形態で内装、外装をする、偏移止め基体を有するスリッパであって、（ａ）〜（ｉ）で構成を有することを特徴とする、偏移止め基体を有するスリッパ
（ａ）硬質で弾力性を有する物質、軟質で弾力性を有する物質、硬質、軟質、等諸々の物質より選択して適合する物質を用い、ほぼ、Ｕ字形に類似する図１６に示す、偏移止め基体を設けている
（ｂ）、（ａ）に示す、偏移止め基体の内側になる部分を内装すべく、足裏形に類似する内装用物質を設け、中芯部分を基点に足の甲に添う巾を選択して、選択した巾の先端を延長拡大し上方に折曲し、足指先部分の外周に添わせて湾曲させ、湾曲させた双方の先端の間に空間を設けた図１７に示す、内装用物質を設けている
（ｃ）、図１６に示す、偏移止め基体の内側になる部分に、図１７に示す内装用物質を接合しトンネル状に内装したことを図１８に示している
（ｄ）、図１８に示す、トンネル状に内装した偏移止め基体の外面に、伸び縮みするゴムバンド状物質を、ベルト状に接合したことを図１９に示している
（ｅ）、図１９に示す、製作中の、偏移止め基体を有し足指先立ちで歩行するスリッパの着脱口となる、着脱口の先端部分外周、内周を拡大して、拡大した着脱口を設けたことを図２０に示している
（ｆ）、図１９に示す、製作中の、偏移止め基体を有し足指先立ちで歩行するスリッパの中芯部を基点に、両端双方に丘状の傾斜を設けたことを図２０に示している
（ｇ）、図１９に示す、伸び縮みするゴムバンド状物質を、ベルト状に接合した上面に、重ねて、伸び縮みするゴムバンド状物質を底面、外面に巻着したことを図２０に示している
（ｈ）、図２０に示す、底になる部分に、底に適合する物質を選択して用い、適合する形態で底を設けたことを図２１に示している、
（ｉ）、図２１に示す、完成した偏移止め基体を有し足指先立ちで歩行するスリッパに、ひも状の伸び縮みするゴムバンド状物質の両端を個々に、スリッパに着脱自由に接合したことを図２２に示している
上記の形態で、前後をなくし両端双方から着脱可能な、偏移止め基体を有し足指先立ちで歩行するスリッパを設けてなる、請求項１に記載の、偏移止め基体を有するスリッパ
【請求項３】
請求項１、請求項２、に記載の偏移止め基体、請求項２に記載の、ひも状の伸び縮みするゴムバンド状物質は、通常のスリッパ、履物にも選択して使用可能となっている、
上記の項目を使用してなる、請求項１に記載の、偏移止め基体を有するスリッパ
【発明の詳細な説明】
【技術分野】
【０００１】  スリッパの着脱時、着用時の安定度、着用時の運動にかかわるものである
【背景技術】
【０００２】  高年配になるとトイレに行く回数が多くなる、先人が着用したスリッパの前後が反対になっていることが多々ある、次に着用する人はスリッパの前後を直して着用することになる、高年配になると小回りができない、スリッパの前後を直すのに手間がかかる、体育舘、公民舘、ホテル、等多勢の人が使用するトイレでも、先人が着用後のスリッパは前後が反対になっていることが多々ある、スリッパを着用中脱落が気になり常に摺り足で歩行している、快適に使用できない【０００３】  底皮の接地面側の土台を逆三角形にし、頂点を境に前後の傾斜を設けたスリッパはあるが、足裏が接触する側に傾斜を設けたスリッパは見あたらない、（例えば、特開２０００−２８７７０３号を参照）
【特許文献１】  特開２０００−２８７７０３号
【発明の開示】
【発明が解決しようとする課題】
【０００４】  先人が着用したスリッパの前後が反対になっていることが多々ある、次に着用する人は前後を直して着用することになる、前後を直さなくても着用できるスリッパを設ける、体育舘、公民舘、ホテル、等多勢の人が着用す場所で、先人がスリッパを脱ぎ捨てにして立ち去ることが多々ある、次回着用する人から見るとスリッパの前後が反対になっている、この現状を快適に着用可能にする、着用中脱落の心配をなくして、摺り足歩行を解決し、普通に歩行可能なスリッパを設ける、歩行中足の運動、バランス感覚、等を満されるスリッパを設ける、高年配者が気軽に楽しみながら着用可能なスリッパを設ける
【課題を解決するための手段】
【０００５】  偏移止め基体を有し、前後をなくして両端双方から着脱可能なスリッパを設ける、（請求項１を参照）、偏移止め基体を有し、足指先立ちで歩行するスリッパを設ける、足指先立ちで歩行するスリッパに、伸び縮みするゴムバンド状物質を着脱自由に接合し、竹馬にのる感覚で歩行可能なスリッパを設ける、（請求項２を参照）
【発明の効果】
【０００６】  先人が着用後、脱ぎ捨てにしたスリッパも、両端双方に着脱口を設けたことで、前後を直さなくても速着用可能となり高年配者も気軽に着用可能となる、偏移止め基体を有したことで、着用し歩行中足が定位置に安易に定着し脱落の心配がなくなり、高年配者も安心して着用できる、（請求項１を参照）、偏移止め基体を用いたスリッパの両端部分を上部とし、中芯部分を下部とする摺鉢状の傾斜を設けたことで、着用すると自然に足指先立ちで歩行可能となり平常心を保ちながら足の運動が可能になる、伸び縮みするゴムバンド状物質を着脱自由接合し、竹馬にのった感覚で着用可能としたことで、楽しみながら着用できる、又、歩行中手の運動、バランス感覚、歩行のリハビリ、等に活用できるので重宝になる、（請求項２を参照）
【発明を実施するための最良の形態】
【０００７】  足裏形に類似する偏移止め基体を設ける、分割した偏移め基体を設ける、三日月状に湾曲させた偏移止め基体を設ける、スリッパの底になる部分を三日月状に湾曲させる、前後をなくし両端双方に着脱口を設ける、着脱口を拡大する、伸び縮みするゴムバンド状物質を用い収縮する位置を設ける、弾力性を有する部分を設ける、（請求項１を参照）、ほぼＵ字形に類似する偏移止め基体を設ける、トンネル状に内装する、伸び縮みするゴムバンド状物質を接合する、伸び縮みするゴムバンド状物質を用い外装する、前後をなくし両端双方に着脱口を設ける、偏移止め基体の中芯部を基点に両端双方に丘状の傾斜を設ける、収縮する位置を設ける、完成した偏移止め基体を有し足指先立ちで歩行するスリッパに、伸び縮みするゴムバンド状物質を着脱自由に接合し、竹馬にのった感覚で歩行可能なスリッパを設ける、（請求項２を参照）、上記構成の偏移止め基体を有するスリッパが、最良の形態となっている
【実施例】
【０００８】  図１は、請求項１に記載の、偏移止め基体を有するスリッパの実施の形態を示す、弾力性を有し三日月状に湾曲した底１、拡大した着脱口２、伸び縮みする箇所３、偏移止め基体４、伸び縮みするゴムバンド状物質５、丘状の傾斜６、スリッパの底７、となっている【０００９】  図２は、足裏形に類似する偏移止め基体８を設け、横左右の間、中芯部を基点に三日月状に湾曲させたことを示している、なを、三日月状に湾曲した偏移止め基体９、弾力性を有することを示す点線１０、横左右の間中芯部１１、となっている【００１０】  図３は、分割した偏移止め基体１２を示している、なを、足の甲に添わせて湾曲させた偏移止め基体１３、となっている、なお、仮想した足裏形４４となっている【００１１】  図４は、両先端の間に空間を設けた内装用物質１４を示している、なを、空間１５となっている、【００１２】  図５は、図３に示す偏移止め基体の内側になる部分に、図４に示す、両先端の間に空間１５を設けた内装用物質１４をを接合し、トンネル状に内装したことを示している、なを、分割した偏移止め基体１２となっている【００１３】  図６は、図５に示す、製作中の偏移止め基体を有するスリッパの、トンネル状に内装した部分１６の外面に、伸び縮みするゴムバンド状物質５を接合したことを示している、なを、空間１５、分割した偏移止め基体１２、両先端の間に空間１５を設けた内装用物質１４、となっている【００１４】  図７は、図６に示す、製作中の偏移止め基体を有するスリッパの、トンネル状に内装した部分の外面に、伸び縮みするゴムバンド状物質５を接合した外面に、重ねて、伸び縮みするゴムバンド状物質５を巻着したことを示している、なを、分割した偏移止め基体１２、空間１５、拡大した着脱口２、両先端の間に空間１５を設けた内装用物質１４、足の甲に添わせて湾曲させた偏移止め基体１３となっている【００１５】  図８は、図７に示す、製作中の偏移止め基体を有するスリッパの、底になる部分１７に、底になる物質を選択して用い、適合する形態で底１８を設けたことを示している、なを、分割した偏移止め基体１２、足の甲に添わせて湾曲させた偏移止め基体１３、伸び縮みするゴムバンド状物質５、空間１５、空間１５は伸び縮み可能となっている、拡大した着脱口２、分割した偏移止め基体を被包し三日月状に湾曲したスリッパの底１９、となっている、【００１６】  図９は、偏移止め基体を有するスリッパを着用時、足指指、足土踏まず、が、スリッパの上面に接触する部分に、丘状の傾斜６を、設けたことを示している、なを、分割した偏移止め基体を被包し三日月状に湾曲したスリッパの底１９、拡大した着脱口２、足親指２１、足土踏まず２２、伸び縮みするゴムバンド状物質５、となっている、【００１７】  図１０は、分割した偏移止め基体を被包し三日月状に湾曲したスリッパの底１９に、足を押入し、足裏２３がスリッパの底１９に接触して、停止の状態の時は、スリッパの底１９に、ほぼ変化のないことを示している【００１８】  図１１は、分割した偏移止め基体を被包し三日月状に湾曲したスリッパの底１９に、足を押入し、足裏２３がスリッパの底１９に接触して、歩行の状態の時は、スリッパの底１９が、拡大してい��ことを示している、なお、拡大した部分２４となっている【００１９】  図１２は、分割した偏移止め基体の弾力性、復元力によって、図１０、図１１、に示す状態になることを示している、なを、分割した偏移止め基体１２、足の甲に添わせて湾曲させた偏移止め基体１３、分割した偏移止め基体を被包し三日月状に湾曲したスリッパの底１９、足裏２３、歩行中は図１０、図１１の状態を操り返すことを示している【００２０】  図１３は、通常のスリッパ２５に、足２７を押入して歩行すると、足２７が通常のスリッパ２５より食みだすことを示している、なを、通常のベルト２６、となっている、【００２１】  図１４は、弾力性を有し三日月状に湾曲した底部分１に、分割した偏移止め基体１２、足の甲に添わせて湾曲させた偏移止め基体１３を載置したことを示している、なを、分割した偏移止め基体１２は、（１３も含む）使用する目的と位置によって、形状を適合する形に変更可能なことを示している、土手状の縁２８となっている【００２２】  図１５は、請求項２に示す、前後をなくし両端双方から着脱可能な、偏移止め基体を有し足指先立ちで歩行するスリッパ２９の実施の形態を示す、ほぼＵ字形に類似する偏移止め基体３０、丘状の傾斜６、、空間１５、伸び縮みするゴムバンド状物質５、拡大した着脱口２、スリッパの底７、となっている【００２３】  図１６は、ほぼＵ字形に類似する偏移止め基体３０を示している、弾力性を有し、復元力の強いことを、点線３１で示している【００２４】  図１７は、両先端の間に空間を設けた内装用物質１４を設けたことを示している、なを足裏形に類似する内装用物質３２を設け、中央部分を基点に足の甲に添う巾を選択して、選択した外周先端を延長拡大し上方に折曲して、足指先部分の外周に添わせて湾曲させた部分３３、空間１５となっている【００２５】  図１８は、トンネル状に内装した部分１６を示している、なを、ほぼＵ字形に類似する偏移止め基体３０、空間１５、内装用物質１４となっている【００２６】  図１９は、図１８に示すトンネル状に内装した部分１６の外面に、ベルト状に接合した伸び縮みするゴムバンド状物質３４を示している、なを、ほぼＵ字形に類似する偏移止め基体３０、両先端の間に空間を設けた内装用物質１４、空間１５となっている【００２７】  図２０は、図１９に示すベルト状に接合した伸び縮みするゴムバンド状物質３４の上面に、重ねて、伸び縮みするゴムバンド状物質５を巻着したことを示している、なを、スリッパの中芯部２０を基点に両端双方に、丘状の傾斜６を設けたことを示している、且、拡大した着脱口２、底になる部分１７、空間１５・ほぼＵ字形に類似する偏移止め基体３０【００２８】  図２１は、図２０に示す底になる部分１７の底面に、底１８を設けたことを示している、なを、偏移止め基体を有し足指先立ちで歩行するスリッパが完成したことを示している、且、丘状の傾斜６、ほぼＵ字形に類似する偏移止め基体３０、拡大した着脱口２、ベルト状に接合した伸び縮みするゴムバンド状物質３４、空間１５、伸び縮みするゴムバンド状物質５、となっている、スリッパを製作する物質によって形態は多少変更可能となる、【００２９】  図２２は、完成した、偏移止め基体を有し���指先立ちで歩行するスリッパ２９に、ひも状の伸び縮みするゴムバンド状物質３５の両端双方を個々に着脱自由に接合したことを示している、なを、自由可動の取り手３６、着脱自由に接合した位置３７となっている【００３０】  図２３は、偏移止め基体を有し足指先立ちで歩行するスリッパ２９に、足２７を押入し着用の状態を示している、なを、丘状の傾斜６、底１８、拡大した着脱口２、足親指２１となっている【００３１】  図２４は、完成した、偏移止め基体を有し足指先立ちで歩行するスリッパ２９に、ひも状の伸び縮みするゴムバンド状物質３５の両端双方を個々に、着脱自由に巻着したことを示しているが、定着も可能となっている、巻着部分３８となる、【００３２】  図２５は、ひも状の伸び縮みするゴムバンド状物質３５の両端双方に接合している、巻着部分３８の形状は、製作時の目的によって適合する形状に変更して用いることになっている、なを、足２７、自由可動の取り手３６、竹馬状になった部具３９となっている【００３３】  図２６は、完成した、偏移止め基体を有し足指先立ちで歩行するスリッパ２９に、ひも状の伸び縮みするゴムバンド状物質３５を接合し、竹馬状になった部具３９を着用の状態を示している、なを、ひと４０となっている【００３４】  図２７は、ひも状の伸び縮みするゴムバンド状物質３５は、弾力性を生かして多々活用できることを点線３１で示している、なを、ひと４０となっている【００３５】  図２８は、ひも状の伸び縮みするゴムバンド状物質３５は、弾力性を生かして、竹馬状の形態を始め、多々の形態を用い活用できることを示している、なを、ひと４０となっている、【００３６】  図２９は、請求項３に記載の、偏移止め基体は通常のスリッパ２５にも使用可能となっていることを示している、なを、偏移止め基体４、伸び縮みするゴムバンド状物質５、通常の着脱口４１、スリッパの底７、通常のスリッパ２５となっている【００３７】  図３０は、偏移止め基体４を、通常のスリッパの上部４２から接合したことを示している、なを、スリッパの底７となっている【００３８】  図３１は、本発明の偏移止め基体を有するスリッパを製作するについて、製作に用いる物質によって、偏移止め基体の形状を変更し適合させる、形態を変更して適合させることを示している、なを、拡大した着脱口２、空間１５、トンネル状に内装した部分１６、スリッパの底７、底になる部分１７、切り込み部分４３，となっている
【産業上の利用可能性】
【００３９】  従来のスリッパにかわり、各家庭、体育館、公民館、旅館、等々で大活躍することが充分に考えられる
【図面の簡単な説明】
【００４０】
【図１】  請求項１に記載の実施の形態を示す、立体図
【図２】  三日月状に湾曲させた偏移止め基体を示す、立体図
【図３】  分割した偏移止め基体を示す、立体図
【図４】  両先端の間に空間を設けた内装用物質を示す、立体図
【図５】  内装用物質を接合しトンネル状に内装したことを示す、立体図
【図６】  伸び縮みするゴムバンド状物質をベルト状に接合したことを示す、立体図
【図７】  着脱口を拡大し、伸び縮みするゴムバンド状物質を巻着したことを示す、立体図
【図８】  適合する形状、形態で底を設けたことを示す、立体図
【図９】  スリッパの上面双方に丘状の傾斜を設けたことを示す、側面図
【図１０】  三日月状に湾曲したスリッパの底に足裏が接触の状態を示す、上視図
【図１１】  歩行中体重がかかるとスリッパが拡大することを示す、上視図
【図１２】  分割した偏移止め基体を配置した位置を示す、上視図
【図１３】  通常のスリッパを用い歩行すると足が食い出すことを示す、上視図
【図１４】  製作時の状態に適合可能に偏移止め基体の形状を変更させるも可能なことを示す、立体図
【図１５】  請求項２に記載の実施の形態を示す、立体図
【図１６】  ほぼＵ字形の偏移止め基体を示す、立体図
【図１７】  両先端の間に空間を設けた内装用物質を示す、立体図
【図１８】  内装用物質を接合しトンネル状に内装したことを示す、立体図
【図１９】  伸び縮みするゴムバンド状物質をベルト状に接合したことを示す、立体図
【図２０】  拡大した着脱口、丘状の傾斜を設け、伸び縮みするゴムバンド状物質を巻着したことを示す、側面図
【図２１】  底を設けスリッパが完成したことを示す、立体図
【図２２】  完成したスリッパにひも状の伸び縮みするゴムバンド状物質を接合したことを示す、立体図
【図２３】  スリッパに足を押入した着用の状態を示す、側面図
【図２４】  完成したスリッパにひも状の伸び縮みするゴムバンド状物質を着脱自由に接合したことを示す、立体図
【図２５】  竹馬状となった部具を示す、立体図
【図２６】  竹馬状となった部具を着用の状態を示す、立体図
【図２７】  竹馬状となった部具は自由自在に伸び縮みすることを示す、立体図
【図２８】  竹馬状となった部具は多々の形態で活用できることを示す、立体図
【図２９】  本発明の偏移止め基体は通常のスリッパにも使用可能を示す、立体図
【図３０】  偏移止め基体を通常のスリッパの上部より接合したことを示す、立体図
【図３１】  製作に用いる物質によって、偏移止め基体の形状と形態を変更することを示す、立体図
【符号の説明】
【００４１】  １  弾力性を有し三日月状に湾曲した部分
２  拡大した着脱口
３  伸び縮みする箇所
４  偏移止め基体
５  伸び縮みするゴムバンド状物質
６  丘状の傾斜
７  スリッパの底
８  足裏形に類似する偏移止め基体
９  三日月状に湾曲した偏移止め基体
１０  弾力性を有することを示す点線
１１  横左右の間中芯部分
１２  分割した偏移止め基体
１３  足の甲に添わせて湾曲させた偏移止め基体
１４  両先端の間に空間を設けた内装用物質
１５  空間
１６  トンネル状に内装した部分
１７  底になる部分
１８  底
１９  分割した偏移止め基体を被包し三日月状に湾曲したスリッパの底
２０  スリッパの中芯部
２１  足親指
２２  足土踏まず
２３  足裏
２４  拡大した部分
２５  通常のスリッパ
２６  通常のベルト
２７  足
２８  土手状の縁
２９  偏移止め基体を有し足指先立ちで歩行するスリッパ
３０  ほぼＵ字形に類似する偏移止め基体
３１  点線
３２  足裏形に類似する内装用物質
３３  足指先部分外周に添わせて湾曲させた部分
３４  ベルト状に接合した伸び縮みするゴムバンド状物質
３５  ひも状の伸び縮みするゴムバンド状物質
３６  自由可動の取り手
３７  着脱自由に接合した位置
３８  巻着した部分
３９  竹馬状になった部具
４０  ひと
４１  通常の着脱口
４２  通常のスリッパの上部
４３  切り込み部分
４４  仮想した足裏形
【図１】
2009011807.tif 000003
【図２】
2009011807.tif 000004
【図３】
2009011807.tif 000005
【図４】
2009011807.tif 000006
【図５】
2009011807.tif 000007
【図６】
2009011807.tif 000008
【図７】
2009011807.tif 000009
【図８】
2009011807.tif 000010
【図９】
2009011807.tif 000011
【図１０】
2009011807.tif 000012
【図１１】
2009011807.tif 000013
【図１２】
2009011807.tif 000014
【図１３】
2009011807.tif 000015
【図１４】
2009011807.tif 000016
【図１５】
2009011807.tif 000017
【図１６】
2009011807.tif 000018
【図１７】
2009011807.tif 000019
【図１８】
2009011807.tif 000020
【図１９】
2009011807.tif 000021
【図２０】
2009011807.tif 000022
【図２１】
2009011807.tif 000023
【図２２】
2009011807.tif 000024
【図２３】
2009011807.tif 000025
【図２４】
2009011807.tif 000026
【図２５】
2009011807.tif 000027
【図２６】
2009011807.tif 000028
【図２７】
2009011807.tif 000029
【図２８】
2009011807.tif 000030
【図２９】
2009011807.tif 000031
【図３０】
2009011807.tif 000032
【図３１】
2009011807.tif 000033
【手続補正書】
【提出日】平成20年4月10日(2008.4.10)
【手続補正１】
【補正対象書類名】図面
【補正対象項目名】全図
【補正方法】変更
【補正の内容】
【図１】
2009011807.tif 000034
【図２】
2009011807.tif 000035
【図３】
2009011807.tif 000036
【図４】
2009011807.tif 000037
【図５】
2009011807.tif 000038
【図６】
2009011807.tif 000039
【図７】
2009011807.tif 000040
【図８】
2009011807.tif 000041
【図９】
2009011807.tif 000042
【図１０】
2009011807.tif 000043
【図１１】
2009011807.tif 000044
【図１２】
2009011807.tif 000045
【図１３】
2009011807.tif 000046
【図１４】
2009011807.tif 000047
【図１５】
2009011807.tif 000048
【図１６】
2009011807.tif 000049
【図１７】
2009011807.tif 000050
【図１８】
2009011807.tif 000051
【図１９】
2009011807.tif 000052
【図２０】
2009011807.tif 000053
【図２１】
2009011807.tif 000054
【図２２】
2009011807.tif 000055
【図２３】
2009011807.tif 000056
【図２４】
2009011807.tif 000057
【図２５】
2009011807.tif 000058
【図２６】
2009011807.tif 000059
【図２７】
2009011807.tif 000060
【図２８】
2009011807.tif 000061
【図２９】
2009011807.tif 000062
【図３０】
2009011807.tif 000063
【図３１】
2009011807.tif 000064
【図３２】
2009011807.tif 000065
【図３３】
2009011807.tif 000066
【図３４】
2009011807.tif 000067
【図３５】
2009011807.tif 000068
【図３６】
2009011807.tif 000069
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
前後をなくし、両端から着脱可能な偏移止め基体を有するスリッパを設けるべく、１をはじめとし適合する数の偏移止め基体を設け、個々を適合する形に成形し、個々を適合する位置に定着させ、適合する内裝用物質、適合する外裝用物質を選択して用い、適合する形態で内裝、外裝をする、着用時、底部分が、外、内に作動する、偏移止め基体を有するスリッパであって、（ａ）〜（ｉ）で構成を有することを特徴とする、偏移止め基体を有するスリッパ。
（ａ）硬質で弾力性を有する物質、軟質で弾力性を有する物質、硬質、軟質、等諸々の物質より選択して適合する物質を用い、足裏形に類似する偏移止め基体を設け、横左右の間、中芯部分を基点に三日月状、半月状、等々に湾曲させた、図２に示す、硬質で弾力性を有し復元力の強い偏移止め基体を設けている。
（ｂ）、（ａ）に示す、足裏形に類似する偏移止め基体（図２）を短冊状に３分割し、適合する形に成形した偏移止め基体を、仮想した足裏形の上に載置している、中央に位置する偏移止め基体の両端を延長拡大し、上方に折曲して、足の甲に添う形に湾曲させ、両先端の間に空間を設けた、図３に示す、偏移止め基体を設けている。
（ｃ）、（ｂ）に示す、偏移止め基体（図３）の内側になる部分を内裝すべく、諸々の物質より適合する物質を選択して用い、足裏形に類似する内裝用物質を設け、中央部分を基点に足の甲に添う巾を選択して、先端を延長拡大し、足の甲に添わせて内側に湾曲させ、両先端の間に空間を設けた、図４に示す、内裝用物質を設けている。
（ｄ）、（ｃ）に示す、偏移止め基体（図３）の内側になる部分に、図４に示す、内裝用物質を接合し、トンネル状に内裝したことを、図５に示している。
（ｅ）、（ｄ）に示す、内裝用物質を接合しトンネル状に内裝した偏移止め基体（図５）の外面に、伸び縮みするゴムバンド状物質をはじめとし、諸々の物質より適合する物質を選択して用い、ベルト状に巻着したことを図６に示している。
（ｆ）、（ｅ）に示す、ベルト状に接合した偏移止め基体（図６）の底面を含む外面に、伸び縮みするゴムバンド状物質をはじめとし、諸々の物質より適合する物質を選択して用い、重ねて外裝した偏移止め基体を、図７に示している。
（ｇ）、（ｆ）に示す、偏移止め基体（図７）に、拡大した着脱口を設けたことを、図８に示している。
（ｈ）、（ｆ）に示す、偏移止め基体（図７）の底面に、底になる適合する物質を選択して用い、適合する形態で底を設けたことを、図８に示している、偏移止め基体が、ほぼ完成して、偏移止め基体を有するスリッパになったことを図８に示している。
（ｉ）、偏移止め基体を有するスリッパの両端より底に丘状の補強物質を用い、底中央部分に空洞を設け、着用時に底中央部分が上下に作動可能なことを、図９、図１０に示している。
上記の形態で、偏移止め基体を被包し、前後をなくして両端双方から着脱可能となり、底部分が、外、内に作動してなる、請求項１に記載の、偏移止め基体を有するスリッパ
【請求項２】
前後をなくし両端双方から着脱可能な、偏移止め基体を有し足指先立ちで歩行するスリッパを設け、完成したスリッパに、ひも状の伸び縮みするゴムバンド状物質を着脱自由に接合し、竹馬にのった感覚で歩行可能とすべく、１をはじめとし、適合する数の偏移止め基体を設け、個々を適合する形に成形し、個々を適合する位置に定着させ、適合する内裝用物質、外裝用物質を選択して用い、適合する形態で内裝、外裝をする、着用時、底部分が外、内に作動する、偏移止め基体を有するスリッパであって、（ａ）〜（ｈ）で構成を有することを特徴とする、偏移止め基体を有するスリッパ。
（ａ）硬質で弾力性を有する物質、軟質で弾力性を有する物質、硬質、軟質、等諸々の物質より選択して適合する物質を用い、ほぼ、Ｕ字形、三日月状等に類似する、図１７に示す、弾力性を有し復元力の強い偏移止め基体を設けたことを示している。
（ｂ）、（ａ）に示す、偏移止め基体（図１７）の内側になる部分を内裝すべく、足裏形に類似する内裝用物質を設け、中芯部分を基点に足の甲に添う巾を選択して、選択した巾の先端を延長拡大し上方に折曲し、足の甲を含む、足指先部分の外周に添わせて湾曲させ、先端部分に空間を有する重着部分を設けた、図１８に示す、内裝用物質を設けたことを示している。
（ｃ）図１７に示す、偏移止め基体の内側になる部分に、図１８に示す内裝用物質を接合し、トンネル状に内裝したことを、図１９に示している
（ｄ）図１９に示す、トンネル状に内裝した偏移止め基体の外面に伸び縮みするゴムバンド状物質をはじめとし、諸々の物質より適合する物質を選択して用い、ベルト状に接合したことを、図２０に示している。
（ｅ）図２０に示す、製作中の、偏移止め基体を有し足指先立ちで歩行するスリッパの、着脱口となる、着脱口の先端部分外周、内周を拡大して、拡大した着脱口を設けたことを、図２１に示している。
（ｆ）図２０に示す、製作中の、偏移止め基体を有し足指先立ちで歩行するスリッパの、底になる部分に、底に適合する物質を選択して用い、適合する形態で底を設けたことを、図２１に示している。
（ｇ）図２０に示す、製作中の、偏移止め基体を有し足指先立ちで歩行するスリッパの、中芯部分を基点に、両端部分双方に、丘状補強物質を用い、両端双方の丘状補強物質の間に空洞を設け、上下に作動する底を設けたことを、図２３、図２４に示している
（ｈ）図１６に示す、完成した、偏移止め基体を有し足指先立ちで歩行出来るスリッパに、ひも状の伸び縮みするゴムバンド状物質の両端を個々に、スリッパに着脱自由に接合したことを、図２２に示している。
上記の形態で、前後なくし両端双方から着脱可能で、着用時底部分が、外、内に作動可能な、偏移止め基体を有し足指先立ちで歩行するスリッパを設けてなる、請求項１に記載の、偏移止め基体を有するスリッパ。
【請求項３】
請求項１、請求項２、記載の偏移止め基体、請求項２に記載の、ひも状に伸び縮みするゴムバンド状物質は、個々に、通常のスリッパ、履物等にも選択して使用可能となっている、スリッパを着用時、スリッパの底部分が、外、内に作動するスリッパを設けるべく、（ａ）〜（ｄ）で構成を有することを特徴とする、偏移止め基体を有するスリッパ
（ａ）硬質で弾力性を有する物質、軟質で弾力性を有する物質、硬質、軟質、等諸々の物質より選択して適合する、復元力の強い物質を用い、三日月状、半月状、等の適合する形に湾曲させた偏移止め基体を設け、該、偏移止め基体を被包したスリッパを設けたことを、図３１に示している。
（ｂ）足を押入する筒状部分の上部を分割し、空洞を有する重着部分を設け、アコーデオン状に収縮する足押入部分を設けたことを、図３２に示している。
（ｃ）、（ｂ）に示す、アコーデオン状に収縮する足押入部分が、スリッパ着用時、縮んだ、ときの状態を、図３３に示している。
（ｄ）、スリッパの底を、スリッパを使用する場所、目的によって適合する形、形態で底を設けたことを、図３３に示している。
上記の形態で、スリッパを着用時、底、本体が、外、内に作動してなる、請求項１に記載の、偏移止め基体を有するスリッパ
【手続補正書】
【提出日】平成20年4月10日(2008.4.10)
【手続補正１】
【補正対象書類名】明細書
【補正対象項目名】全文
【補正方法】変更
【補正の内容】
【発明の詳細な説明】
【技術分野】
【０００１】  スリッパの着脱時、着用時の安定度、着用時の運動にかかわるものである
【背景技術】
【０００２】  高年配になるとトイレに行く回数が多くなる。先人が着用したスリッパの前後が反対になっていることが多々ある。次に着用する人はスリッパの前後を直して着用することになる。高年配になると小回りができない。スリッパの前後を直すのに手間がかかる。体育館、公民館、ホテル、等多数の人が使用するトイレでも、先人が着用後のスリッパは前後が反対になっていることが多々ある。スリッパを着用中脱落が気になり常に摺り足で歩行している。快適に使用できない。【０００３】  底皮の接地面側の土台を逆三角形にし、頂点を境に前後の傾斜を設けたスリッパはあるが、底と底左右横側が、外内に作動するスリッパは見当らない。（例えば、特開２０００−２８７７０３号を参照）
【特許文献１】  特開２０００−２８７７０３号
【発明の開示】
【発明が解決しようとする課題】
【０００４】家庭内で、先人が着用したスリッパの前後が反対になっていることが多々ある。次に着用する人は前後を直して着用することになる。前後を直さなくても着用できるスリッパを設ける。体育館、公民館、ホテル、個々のトイレ、等多勢の人が着用する場所で、先人が脱ぎ捨てにして立ち去ることが多々ある。次回着用する人から見るとスリッパの前後が反対になっている。この現状を快適に着用可能にする。着用中脱落の心配をなくして、摺り足歩行を解決し、普通に歩行可能なスリッパを設ける。歩行中足の運動、バランス感覚、等を満されるスリッパを設ける。高年配者が気軽に楽しみながら着用可能なスリッパを設ける。
【課題を解決するための手段】
【０００５】  偏移止め基体を有し、底内側、底外側、底横側上部分が、外、内に作動し、前後をなくして両端双方から着脱可能なスリッパを設ける。（請求項１を参照）、偏移止め基体を有し、底内側、底外側、底横側上部分が、外、内に作動し、足指先立ちで歩行するスリッパを設ける。該、スリッパに、伸び縮みするゴムバンド状物質を選択して用い、着脱自由に接合し、竹馬にのる感覚で歩行可能なスリッパを設ける。（請求項２を参照）
【発明の効果】
【０００６】  先人が着用後、脱ぎ捨てにしたスリッパも、両端双方に着脱口を設けたことで、前後を直さなくても速、着用可能となり高年配者も気軽に着用可能となる。偏移止め基体を有したことで、着用し歩行中足が定位置に安易に定着し脱落の心配がなくなり、高年配者も安心して着用できる。（請求項１を参照）丘状の補強物質を用いたスリッパの両端双方の丘状の補強物質の間に、空洞を設け、上下に作動する底を設け、同時に、底内側、底外側、底横側上部分が、外、内に作動可能となっているので、着用すると自然に足指先立ちで歩行可能となり、平常心を保ちながら足の運動が可能になる。伸び縮みするゴムバンド状物質を着脱自由に接合し、竹馬にのった感覚で着用可能としたことで、樂しみながら着用できる、又、歩行中の運動、バランス感覚、歩行のリハビリ、等に活用できるので重宝になる。（請求項２を参照）
【発明を実施するための最良の形態】
【０００７】  足裏形に類似する偏移止め基体を設ける。分割した偏移止め基体を設ける。三日月状、半月状、等々に湾曲させた偏移止め基体を設ける。スリッパの底になる部分、横側になる部分を、外側、内側に作動可能に設ける。前後をなくし両端双方に着脱口を設ける。着脱口を拡大する。伸び縮みするゴムバンド状物質、偏移止め基体、空洞、空間、重着部分を用い収縮する位置を設ける、弾力性を有し、復元力の強い部分を設ける。着用時、底中央部分が上下に作動する部分を設ける。（請求項１を参照）、ほぼＵ字形、半月状、等に類似する偏移止め基体を設ける。トンネル状に内裝する。伸び縮みするゴムバンド状物質を用いる。伸び縮みするゴムバンド状物質を用い外裝する。前後をなくし両端双方に着脱口を設ける。偏移止め基体の中芯部を基点に両端双方部分に、丘状の補強物質を用い上下に作動する位置を設ける。収縮する位置を設ける。完成した偏移止め基体を有し足指先立ちで歩行するスリッパに、伸び縮みするゴムバンド状物質を着脱自由に接合し、竹馬にのった感覚で歩行可能なスリッパを設ける。（請求項２を参照）、偏移止め基体を被包した、スリッパを設ける。（請求項３を参照）、上記形態の、偏移止め基体を有するスリッパが、最良の形態となっている。
【実施例】
【０００８】  図１は、請求項１に記載の、完成した偏移止め基体を有するスリッパの実施の形態を示す、弾力性を有し三日月状に湾曲した部分１、拡大した着脱口２、伸び縮みする箇所３、偏移止め基体４、伸び縮みするゴムバンド状物質５、丘状の補強物質６、スリッパの底７、空間１５、補強物質４５、空洞４８となっている。【０００９】  図２は、足裏形に類似する偏移止め基体８を設け、横左右の間、中芯部を基点に三日月状に湾曲させたことを示し、且、弾力性を有し復元力の強いことを示している。なを、三日月状に湾曲した偏移止め基体９、弾力性を有することを示す点線１０、横左右の間中芯部１１、となっている【００１０】  図３は、分割した偏移止め基体１２を示している。なを、足の甲に添わせて湾曲させた偏移止め基体１３、仮想した足裏形４４、となっている【００１１】  図４は、両先端の間に空間を設けた内裝用物質１４を示している、なを、空間１５となっている【００１２】  図５は、図３に示す偏移止め基体の内側になる部分に、図４に示す、両先端の間に空間１５を設けた内裝用物質１４を接合し、トンネル状に内裝したことを示している。なを、分割した偏移止め基体１２となっている【００１３】  図６は、図５に示す、製作中の偏移止め基体を有するスリッパの、トンネル状に内裝した部分１６の外面に、伸び縮みするゴムバンド状物質５を接合したことを示している。なを、空間１５、分割した偏移止め基体１２、両先端の間に空間を設けた内裝用物質１４、となっている【００１４】  図７は、図６に示す、製作中の偏移止め基体を有するスリッパの、トンネル状に内裝した部分の外面をはじめとし、外面全体に重ねて、伸び縮みするゴムバンド状物質５をはじめとし、諸々の外裝用物質４６を選択し適合する外裝用物質４６を接合し外裝したことを示している。なを、分割した偏移止め基体１２、空間１５、両先端の間に空間を設けた内裝用物質１４、足の甲に添わせて湾曲させた偏移止め基体１３となっている【００１５】  図８は、図７に示す偏移止め基体に、適合する物質を選択して用い、適合する形態で、拡大した着脱口２、底１８を設けたことを示している。なを、切り込み部分４３となっている、偏移止め基体がほぼ完成して、偏移止め基体を有するスリッパになったことを示している【００１６】  図９は、偏移止め基体を有するスリッパの両端より、底になる部分１７の両端より底面に、丘状の補強物質６を用い、底中央部分に空洞４８を設けたことを示している。なを、外裝用物質４６、分割した偏移止め基体を被包し三日月状に湾曲したスリッパの底１９、、足土踏まず２２、足親指２１、拡大した着脱口２、となっている【００１７】  図１０は、図９に示す、偏移止め基体を有するスリッパに設けた空洞４８が、着用時、歩行中に作動した状態を示している。なを、外裝用物質４６、分割した偏移止め基体を被包し三日月状に湾曲したスリッパの底１９、足土踏まず２２、足親指２１、拡大した着脱口２、底になる部分１７、丘状の補強物質６、となっている【００１８】  図１１は、分割した偏移止め基体を被包し三日月状に湾曲したスリッパの底１９に、足を押入し、足裏２３がスリッパの底１９に接触して、停止の状態の時は、スリッパの底１９��、ほぼ変化のないことを示している【００１９】  図１２は、分割した偏移止め基体を被包し三日月状に湾曲したスリッパの底１９に、足を押入し、足裏２３がスリッパの底１９に接触して、歩行の状態の時は、スリッパの底１９が、拡大していることを示している。なを、拡大した部分２４となっている【００２０】  図１３は、分割した偏移止め基体の定着した位置を示している。なを、分割した偏移止め基体１２、足の甲に添わせて湾曲させた偏移止め基体１３、分割した偏移止め基体を被包し三日月状に湾曲したスリッパの底１９、足裏２３、となっている【００２１】  図１４は、通常のスリッパ２５に、足２７を押入して歩行すると、足２７が通常のスリッパ２５より食みだすことを示している。なを、通常のベルト２６となっている【００２２】図１５は、弾力性を有し復元力の強い三日月状に湾曲した底部分１に、分割した偏移止め基体１２、足の甲に添わせて湾曲させた偏移止め基体１３を載置したことを示している。なを、分割した偏移止め基体１２は、（１３も含む）使用する目的によって、形状を適合する形に変更可能なことを示している。土手状の縁２８となっている【００２３】  図１６は、請求項２に記載の、前後をなくし両端双方から着脱可能な、偏移止め基体を有し足指先立ちで歩行するスリッパ２９の、完成した、実施の形態を示す。弾力性を有し三日月状に湾曲した部分１、拡大した着脱口２、偏移止め基体４、伸び縮みするゴムバンド状物質５、丘状の補強物質６、スリッパの底７、空間１５、補強物質４５、空洞４８となっている。【００２４】  図１７は、ほぼＵ字形に類似する偏移止め基体３０を示している。弾力性を有し、復元力の強いことを、点線３１で示している【００２５】  図１８は、両先端に空間を有する重着部分を設けた内裝用物質４９を設けたことを示している。なを、足裏形に類似する内裝用物質３２、中央部分を基点に足の甲に添う巾を選択して、選択した外周先端を延長拡大し上方に折曲して、空間１５、重着部分５０を設けた、内裝用物質を示している。【００２６】図１９は、図１７に示す、偏移止め基体３０の内側になる部分を内裝すべく、図１８に示す、両先端に空間を有する重着部分を設けた内裝用物質４９を、内側に接合しトンネル状に内裝したことを示している。なを、重着部分５０、空間１５、足裏形に類似する内裝用物質３２、となっている【００２７】図２０は、図１９に示す、トンネル状に内裝した偏移止め基体の外面に、伸び縮みするゴムバンド状物質をはじめとし、諸々の物質より適合する物質を選択して用い、ベルト状に接合したことを示している。なを、伸び縮みするゴムバンド状物質３４、ほぼＵ字形に類似する偏移止め基体３０、空間１５、重着部分５０、足裏形に類似する内裝用物質３２、両先端に空間を有する重着部分を設けた内裝用物質４９となっている【００２８】図２１は、製作中の、偏移止め基体を有し足指先立ちで歩行するスリッパ（図２０に示す）。着脱口となる、着脱口の先端部分外周、内周を拡大して、拡大した着脱口２を設けたことを示している。該、スリッパの底になる部分に、底に、適合する物質を選択して用い、適合する形態で底１８を設けたことを示している。なを、切り込み部分４３とな��ている、偏移止め基体を有し足指先立ちで歩行するスリッパが、ほぼ完成したことを示している【００２９】図２２は、図１６に示す、完成した、偏移止め基体を有し足指先立ちで歩行するスリッパに、ひも状の伸び縮みするゴムバンド状物質３５の両端双方を、個々に、着脱自由に接合したことを示している。なを、着脱自由に接合した位置３７、自由可動の取り手３６、切り込み部分４３となっている。（図１６を参照）【００３０】図２３は、図２０に示す、製作中の、偏移止め基体を有し足指先立ちで歩行するスリッパの、中芯部分を基点に、両端部分双方に、丘状の補強物質６を用いて、両端部分双方の丘状の補強物質６の間に、空洞４８を設け、着用し歩行すると上下に作動する、底になる部分１７が上下に作動することを示している。（図２３、図２４を参照）なを、分割した偏移止め基体を被包し三日月状に湾曲したスリッパの底１９、拡大した着脱口２、足親指２１、足土踏まず２２、外裝用物質４６、となっている【００３１】図２４は、図２３に示す、底になる部分１７が作動した状態を示している。なを、丘状の補強物質６、空洞４８、分割した偏移止め基体を被包し三日月状に湾曲したスリッパの底１９、拡大した着脱口２、足親指２１、足土踏まず２２、外裝用物質４６となっている。（図２３、図２４を参照）【００３２】  図２５は、図１６に示す、完成した偏移止め基体を有し足指先立ちで歩行するスリッパに、ひも状の伸び縮みするゴムバンド状物質３５の両端双方を個々に、着脱自由に巻着したことを示しているが、定着も可能となっている。巻着部分３８となる。なを、自由可動の取り手３６、切り込み部分４３となっている。（図１６を参照）【００３３】  図２６は、完成した、偏移止め基体を有し足指先立ちで歩行するスリッパ２９に、ひも状の伸び縮みするゴムバンド状物質３５を接合し、竹馬状となった部具３９を着用の状態を示している。なを、ひと４０となっている【００３４】  図２７は、ひも状の伸び縮みするゴムバンド状物質３５は、弾力性を生かして多々活用できることを点線３１で示している。なを、ひと４０となっている【００３５】  図２８は、ひも状の伸び縮みするゴムバンド状物質３５は、弾力性を生かして、竹馬状の形態を始め、多々の形態を用い活用できることを示している。なを、社交ダンスのホールドを固定する練習具としても使用できる。ひと４０となっている【００３６】  図２９は、請求項３に記載の、偏移止め基体は通常のスリッパ２５にも使用可能となっていることを示している。なを、偏移止め基体４、伸び縮みするゴムバンド状物質５、通常の着脱口４１、スリッパの底７、通常のスリッパ２５となっている【００３７】  図３０は、偏移止め基体４を、通常のスリッパの上部４２から接合したことを示している。なを、スリッパの底７、通常のスリッパ７となっている【００３８】図３１は、請求項３に記載の、硬質で弾力性を有する物質、軟質で弾力性を有する物質、硬質、軟質、等諸々の物質より選択して適合する、復元力の強い物質を用い、三日月状、半月状、等の適合する形に湾曲させた偏移止め基体４を設け、偏移止め基体４を被包したスリッパを設けたことを示している。なを、足を押入する筒状部分の上部を分割し��空洞を有し、アコーデオン状に収縮する、重着部分５０を設けたことを示している、スリッパの底７、切り込み部分４３となっている【００３９】図３２は、足を押入する筒状部分の上部を分割し、空洞４８を有する、重着部分５０を設け、アコーデオン状に収縮する足押入部分を設けたことを示している。なを、弾力性を有することを示す点線１０は、点線の矢じるしのように外、内に作動することを示している、スリッパの底７となっている【００４０】図３３は、図３２に示す、アコーデオン状に収縮する足押入部分が、縮まった状態を示している。なを、重着部分５０、スリッパの底７、切り込み部分４３、スリッパの本体５１となっている【００４１】図３４は、偏移止め基体４を変化させ１体としたことを示している。なを、重着部分５０、切り込み部分４３、弾力性を有することを示す点線１０は、外、内、に作動することを示している。【００４２】図３５は、本発明の偏移止め基体を有するスリッパを製作するについて、製作に用いる物質によって、偏移止め基体の形状を変更し適合させる、形態を変更して適合させることを示している。なを、偏移止め基体４、拡大した着脱口２、空間１５、トンネル状に内裝した部分１６、（外裝も含む）スリッパの底７、底になる部分１７、切り込み部分４３となっている【００４３】図３６は、本発明の偏移止め基体を有するスリッパを、使用する場所、目的等によって、適合する形、適合する形態で該スリッパを設けることを示している。なを、スリッパの底７、重着部分５０、切り込み部分４３、スリッパの本体５１となっている
【産業上の利用可能性】
【００４４】  従来のスリッパにかわり、各家庭、体育館、公民館、旅館、等々で大活躍することが充分に考えられる
【図面の簡単な説明】
【００４５】
【図１】請求項１に記載の実施の形態を示す、立体図
【図２】三日月状に湾曲させた偏移止め基体を示す、立体図
【図３】分割した偏移止め基体を示す、立体図
【図４】両先端の間に空間を設けた内裝用物質を示す、立体図
【図５】内裝用物質を接合しトンネル状に内裝したことを示す、立体図
【図６】伸び縮みするゴムバンド状物質をベルト状に接合したを示す、立体図
【図７】重ねて外裝した偏移止め基体を示す、立体図
【図８】偏移止め基体が、ほぼ完成してスリッパになったことを示す、立体図
【図９】底中央部分に空洞を設け、着用し歩行時上下に作動することを示す、立体図
【図１０】図９につづく、着用し歩行時上下に作動した状態を示す、立体図
【図１１】三日月状に湾曲したスリッパの底に足裏が接触の状態を示す、上視図
【図１２】歩行中体重がかかるとスリッパが拡大することを示す、上視図
【図１３】分割した偏移止め基体を配置した位置を示す、上視図
【図１４】通常のスリッパを用い歩行すると足が食み出すことを示す、上視図
【図１５】製作時の状態に適合可能に、偏移止め基体の形状を変更させるも可能なことを示す、立体図
【図１６】請求項２に記載の実施の形態を示す、立体図
【図１７】ほぼＵ字形の偏移止め基体を示す、立体図
【図１８】先端部分に空間を有する重着部分を設けた内裝用物質を示す、立体図
【図１９】内裝用物質を接合しトンネル状に内裝したことを示す、立体図
【図２０】諸々の物質より適合する物質を選択して用い、ベルト状に接合したことを示す、立体図
【図２１】拡大した着脱口、底を設け、偏移止め基体が、ほぼ完成してスリッパになったことを示す、立体図
【図２２】完成したスリッパに、ひも状の伸び縮みするゴムバンド状物質を、着脱自由に接合したことを示す、立体図
【図２３】着用し歩行すると底中央部分が、上下に作動することを示す、立体図
【図２４】着用し歩行すると底中央部分が、上下に作動することを示す、立体図
【図２５】完成したスリッパに、ひも状の伸び縮みするゴムバンド状物質を、着脱自由に巻着し、竹馬状となった部具を示す、立体図
【図２６】竹馬状となった部具を示す、立体図
【図２７】竹馬状となった部具の、ひも状の物質は自由自在に伸び縮みすることを示す、立体図
【図２８】社交ダンスのホールドを固定する練習具として使用可能なことを示す、立体図
【図２９】本発明の偏移止め基体は通常のスリッパにも使用可能を示す、立体図
【図３０】偏移止め基体を通常のスリッパの上部に接合したことを示す、立体図
【図３１】請求項３に示す、偏移止め基体を被包したスリッパを示す、立体図
【図３２】アコーデオン状に収縮する足押入部分を設けたことを示す、立体図
【図３３】収縮する足押入部分に足を押入し歩行中、縮んだ状態を示す、立体図
【図３４】偏移止め基体を変化させ１体としたことを示す、立体図
【図３５】製作に用いる物質によって、偏移止め基体の形状と形態を変更することを示す、立体図
【図３６】使用する場所、目的によって適合する形、形態でスリッパを設けることを示す、立体図
【符号の説明】
【００４６】  １  弾力性を有し三日月状に湾曲した部分
２  拡大した着脱口
３  伸び縮みする箇所
４  偏移止め基体
５  伸び縮みするゴムバンド状物質
６  丘状の補強物質
７  スリッパの底
８  足裏形に類似する偏移止め基体
９  三日月状に湾曲した偏移止め基体
１０  弾力性を有することを示す点線
１１  横左右の間中芯部分
１２  分割した偏移止め基体
１３  足の甲に添わせて湾曲させた偏移止め基体
１４  両先端の間に空間を設けた内裝用物質
１５  空間
１６  トンネル状に内裝した部分
１７  底になる部分
１８  底
１９  分割した偏移止め基体を被包し三日月状に湾曲したスリッパの底
２０  スリッパの中芯部
２１  足親指
２２  足土踏まず
２３  足裏
２４  拡大した部分
２５  通常のスリッパ
２６  通常のベルト
２７  足
２８  土手状の縁
２９  偏移止め基体を有し足指先立ちで歩行するスリッパ
３０  ほぼＵ字形に類似する偏移止め基体
３１  点線
３２  足裏形に類似する内裝用物質
３３  足指先部分外周に添わせて湾曲させた部分
３４  ベルト状に接合した伸び縮みするゴムバンド状物質
３５  ひも状の伸び縮みするゴムバンド状物質
３６  自由可動の取り手
３７  着脱自由に接合した位置
３８  巻着した部分
３９  竹馬状になった部具
４０  ひと
４１  通常の着脱口
４２  通常のスリッパの上部
４３  切り込み部分
４４  仮想した足裏形
４５  補強部分
４６  外裝用物質
４７  内裝用物質
４８  空洞
４９  両先端に空間を有する重着部分を設けた内裝用物質
５０  重着部分
５１  スリッパの本体